(57)【要約】【課題】ユーザーが自身のＩＤを公開する必要がなく、認識のない他のユーザーとコンタクトしてファイルの転送を行うことができるインスタントメッセージ交換方法を提供する。【解決手段】第１ユーザーのインフォメーションリクエストを受信し、かつ該インフォメーションリクエストが地理的位置であって、該地理的位置に関連する複数のユーザーを決定し、該インフォメーションリクエストを該地理的位置に関連する複数のユーザーに送信し、第２ユーザーから該インフォメーションリクエストに対するレスポンスを受信し、該レスポンスを該第１ユーザーに転送するステップを含む。【選択図】図１Ｂ
2009048602.tif 000002
【特許請求の範囲】
【請求項１】
第１ユーザーのインフォメーションリクエストを受信し、かつ該インフォメーションリクエストが地理的位置（geographic location）であって、
該地理的位置に関連する複数のユーザーを決定し、
該インフォメーションリクエストを該地理的位置に関連する複数のユーザーに送信し、
第２ユーザーから該インフォメーションリクエストに対するレスポンスを受信し、
該レスポンスを該第１ユーザーに転送するステップを含むことを特徴とする、
位置を基礎とした匿名のインスタントメッセージ交換方法。
【請求項２】
前記インフォメーションリクエストがトピックであることを特徴とする、請求項１に記載の位置を基礎とした匿名のインスタントメッセージ交換方法。
【請求項３】
前記インフォメーションリクエストを該地理的位置と該トピックにマッチングする複数のユーザーに転送することを特徴とする、請求項２に記載の位置を基礎とした匿名のインスタントメッセージ交換方法。
【請求項４】
前記複数のユーザーと該メッセージロボットとがインスタントメッセンジャーを介して通信することを特徴とする、請求項１に記載の位置を基礎とした匿名のインスタントメッセージ交換方法。
【請求項５】
前記地理的位置がＧＰＳを介して決定されることを特徴とする、請求項１に記載の位置を基礎とした匿名のインスタントメッセージ交換方法。
【請求項６】
前記地理的位置がマップから選択されることを特徴とする、請求項１に記載の位置を基礎とした匿名のインスタントメッセージ交換方法。
【請求項７】
前記位置を基礎とした匿名のインスタントメッセージ交換方法において、第１ユーザーからの該レスポンスに対するレスポンスを受信して、
受信した該レスポンスを第２ユーザーに転送するステップをさらに含むことを特徴とする、請求項１に記載の位置を基礎とした匿名のインスタントメッセージ交換方法。
【請求項８】
メッセージロボットを介して第１ユーザーからのインフォメーションリクエストを受信し、かつ該インフォメーションリクエストが地理的位置（geographic location）であって、
該メッセージロボットがユーザーマッチングシステムから該地理的位置に関連するユーザーリストを受信し、
該メッセージロボットを介して該インフォメーションリクエストを該リストにリストアップされたユーザーに転送し、
該メッセージロボットを介して、該ユーザーリストにリストアップされたユーザーの内の少なくとも一以上のユーザーからの該インフォメーションリクエストに対するレスポンスを受信し、
該メッセージロボットを介して該ユーザーマッチングシステムから該第１ユーザーのＩＤを受信し、
該メッセージロボットを介して該レスポンスを該第１ユーザーに転送するステップを含むことを特徴とする、
位置を基礎とした匿名のインスタントメッセージ交換方法。
【請求項９】
前記インフォメーションリクエストがトピックであることを特徴とする、請求項８に記載の位置を基礎とした匿名のインスタントメッセージ交換方法。
【請求項１０】
前記インフォメーションリクエストを該地理的位置と該トピックにマッチングする複数のユーザー転送することを特徴とする、請求項９に記載の位置を基礎とした匿名のインスタントメッセージ交換方法。
【請求項１１】
前記地理的位置がＧＰＳを介して決定されることを特徴とする、請求項８に記載の位置を基礎とした匿名のインスタントメッセージ交換方法。
【請求項１２】
前記地理的位置がマップから選択されることを特徴とする、請求項８に記載の位置を基礎とした匿名のインスタントメッセージ交換方法。
【請求項１３】
前記位置を基礎とした匿名のインスタントメッセージ交換方法において、第１ユーザーからの該レスポンスに対するレスポンスを受信して、
該レスポンスを転送する該ユーザーリストにリストアップされた少なくとも一以上のユーザーのＩＤを決定し、
受信した該レスポンスを該ユーザーリストにリストアップされた少なくとも一以上のユーザーに転送するステップをさらに含むことを特徴とする、
請求項８に記載の位置を基礎とした匿名のインスタントメッセージ交換方法。
【請求項１４】
第１ユーザーが地理的位置を選択し、
該第１ユーザーによってインフォメーションリクエストを入力し、
該第１ユーザーの入力したインフォメーションリクエストをメッセージロボットに転送し、
該メッセージロボットを介してユーザー地理マッチングシステムからの該地理的位置に関連するユーザーリストを受信して、
該メッセージロボットを介して該インフォメーションリクエストを該ユーザーリストにリストアップされたユーザーに転送するステップを含むことを特徴とする、
位置を基礎とした匿名のインスタントメッセージ交換方法。
【請求項１５】
前記位置を基礎とした匿名のインスタントメッセージ交換方法において、該ユーザーリストにリストアップされる第２ユーザーによって該インフォメーションリクエストに対するレスポンスを入力し、
該第２ユーザーが該レスポンスを該メッセージロボットに転送し、
該メッセージロボットによって該ユーザー地理マッチングシステムからの該第１ユーザーのＩＤを受信し、
該メッセージロボットを介して該レスポンスを該第１ユーザーに転送するステップをさらに含むことを特徴とする、請求項１４に記載の位置を基礎とした匿名のインスタントメッセージ交換方法。
【請求項１６】
前記位置を基礎とした匿名のインスタントメッセージ交換方法において、該第１ユーザーがトピックを選択するステップをさらに含むことを特徴とする、請求項１４に記載の位置を基礎とした匿名のインスタントメッセージ交換方法。
【請求項１７】
前記インフォメーションリクエストを該地理的位置と該トピックにマッチングする複数のユーザーに転送することを特徴とする、請求項１６に記載の位置を基礎とした匿名のインスタントメッセージ交換方法。
【請求項１８】
前記ユーザーリストが該地理的位置に関連するユーザーＩＤを含むことを特徴とする、請求項１４に記載の位置を基礎とした匿名のインスタントメッセージ交換方法。
【請求項１９】
前記地理的位置がマップを介して選択されることを特徴とする、請求項１４に記載の位置を基礎とした匿名のインスタントメッセージ交換方法。
【請求項２０】
前記位置を基礎とした匿名のインスタントメッセージ交換方法において、該メッセージロボットが該第１ユーザーからの該レスポンスに対するレスポンスを受信し、
該ユーザーリストにリストアップされた該第２ユーザーのＩＤを決定し、
該メッセージロボットを介して該レスポンスを該第２ユーザーに転送することを特徴とする、請求項１４に記載の位置を基礎とした匿名のインスタントメッセージ交換方法。
【発明の詳細な説明】
【技術分野】
【０００１】
本発明はインスタントメッセージに関し、特にユーザーがＩＤを開示することがないという前提の下において匿名のメッセージ交換を行うインスタントメッセージ交換方法に関する。
【背景技術】
【０００２】
従来のインスタントメッセンジャーのユーザーはローカルエリアネットワーク、もしくはインターネットを介して友達や家族と通信することができる。これらインスタントメッセンジャーには、Microsoft Messenger、Yahoo! Messenger、Google Talkなどが含まれる。
【０００３】
インスタントメッセンジャーを利用する多くのユーザーは、先ずインスタントメッセージサーバーにリンクする。サーバーにリンクすると、ユーザーは他のユーザーを誘い、リアルタイムでテキストファイルを転送して対話することができる。それぞれのユーザー、または２名のユーザーが入力した文字は、テキスト入力ボックスに表示され、次いでその他ユーザーに転送される。
【０００４】
インスタントメッセージは、一定の状況下では極めて実用的であるが、但しクライアントがオフラインの状態にあるか、もしくはインスタントメッセージサーバーに登録していなかった場合、他のユーザーの如何なるメッセージも受信することができない。このため情報の受信漏れが起きる。この点は電子メールと異なり、転送された情報をクライアントの受信トレイに保存し、ユーザーがこれを開封して内容を知るようにすることはできない。
【０００５】
また、複数のユーザーがインスタントメッセージを利用できるようにするためには、ユーザー同士で同一のインスタントメッセンジャーを使用する場合が多い。例えば、ユーザーＡがインスタントメッセンジャーＢを使用し、ユーザーＣがインスタントメッセンジャーＤを使用した場合、インスタントメッセンジャーＢとＤとのプロトコルが異なるため、ユーザーＡとＣは互いにインスタントメッセージを利用してファイルの転送を行うことができない。よって、すべてのユーザーが通信しようとすれば、共通のインスタントメッセンジャーを利用してコンタクトしなければならない。さもなければ、ユーザーは複数のインスタントメッセンジャーをインストールしなければならならず、かつ他の異なるアプリケーションプログラムをインストールしたクライアントとの間で変換を行わなければならない。かかる状況はユーザーに制限と困惑を与える。
【０００６】
さらに一歩進んで言えば、仮にあるユーザーがインスタントメッセージを利用して他のユーザーと連絡しようとした場合、該他のユーザーはユーザーリストを追加しなければならない。この点において、ユーザーが連絡できる連絡先の範囲と数量が制限を受けることになる。即ち、連絡先はユーザー自身が知りえる範囲の他のユーザーに限られる。このためユーザーのインスタントメッセージのネットワークが制限を受けることになる。
【０００７】
また、多くのインスタントメッセージサービスは、ユーザーがインスタントメッセンジャーを提供するプロバイダに登録し、ユーザーＩＤを設定して得た電子メールアカウントを必要とする。これでは、ユーザーがインスタントメッセージサービスを得るだけのために多くの電子メールサービスを提供するプロバイダに対して、それぞれ電子メールアカウントを設定しなければならなくなる。さらに、不幸にして電子メールのユーザー名はすべての電子メールサービスで共通しているわけではないため、ユーザーは大量の電子メールアカウントを記憶しなければならないことになる。
【発明の開示】
【発明が解決しようとする課題】
【０００８】
そこで、この発明は、従来のインスタントメッセージによるファイル転送システムを改善するものであって、詳しくは、ユーザーが自身のＩＤを公開する必要がないという前提の下において、認識のない他のユーザーとコンタクトしてファイルの転送を行うことのできるアドレスを基礎とした匿名のインスタントメッセージ交換方法、及びそのシステムを提供することを課題とする。
【０００９】
また、この発明は、ユーザーが目下の位置、もしくは予定する目標の位置を決め、かつ放送位置の基準を選択し、インスタントメッセージの受信者のＩＤを知らないという状況下にあってメッセージを放送でき、該メッセージの受信者は位置を基礎として該メッセージに返信し、かつ確実な個人のＩＤを本来の発信者に開示する必要のないインスタントメッセージ交換方法を提供することを課題とする。
【課題を解決するための手段】
【００１０】
そこで、本発明者は従来の技術に見られる欠点に鑑み鋭意研究を重ねた結果、  第１ユーザーのインフォメーションリクエストを受信し、かつ該インフォメーションリクエストが地理的位置（geographic location）であって、該地理的位置に関連する複数のユーザーを決定し、該インフォメーションリクエストを該地理的位置に関連する複数のユーザーに送信し、第２ユーザーから該インフォメーションリクエストに対するレスポンスを受信し、該レスポンスを該第１ユーザーに転送するステップを含む位置を基礎とした匿名のインスタントメッセージ交換方法によって課題を解決できる点に着眼し、係る知見に基づいて本発明を完成させた。
【００１１】
以下この発明について具体的に説明する。
請求項１に記載する位置を基礎とした匿名のインスタントメッセージ交換方法は、  第１ユーザーのインフォメーションリクエストを受信し、かつ該インフォメーションリクエストが地理的位置（geographic location）であって、
該地理的位置に関連する複数のユーザーを決定し、
該インフォメーションリクエストを該地理的位置に関連する複数のユーザーに送信し、
第２ユーザーから該インフォメーションリクエストに対するレスポンスを受信し、
該レスポンスを該第１ユーザーに転送するステップを含む。
【００１２】
請求項２に記載する位置を基礎とした匿名のインスタントメッセージ交換方法は、請求項１におけるインフォメーションリクエストがトピックである。
【００１３】
請求項３に記載する位置を基礎とした匿名のインスタントメッセージ交換方法は、請求項２におけるインフォメーションリクエストを該地理的位置と該トピックにマッチングする複数のユーザーに転送する。
【００１４】
請求項４に記載する位置を基礎とした匿名のインスタントメッセージ交換方法は、請求項１における複数のユーザーと該メッセージロボットとがインスタントメッセンジャーを介して通信する。
【００１５】
請求項５に記載する位置を基礎とした匿名のインスタントメッセージ交換方法は、請求項１における地理的位置がＧＰＳを介して決定される。
【００１６】
請求項６に記載する位置を基礎とした匿名のインスタントメッセージ交換方法は、請求項１における地理的位置がマップから選択される。
【００１７】
請求項７に記載する位置を基礎とした匿名のインスタントメッセージ交換方法は、請求項１における位置を基礎とした匿名のインスタントメッセージ交換方法において、第１ユーザーからの該レスポンスに対するレスポンスを受信して、
受信した該レスポンスを第２ユーザーに転送するステップをさらに含む。
【００１８】
請求項８に記載する位置を基礎とした匿名のインスタントメッセージ交換方法は、
メッセージロボットを介して第１ユーザーからのインフォメーションリクエストを受信し、かつ該インフォメーションリクエストが地理的位置（geographic location）であって、
該メッセージロボットがユーザーマッチングシステムから該地理的位置に関連するユーザーリストを受信し、
該メッセージロボットを介して該インフォメーションリクエストを該リストにリストアップされたユーザーに転送し、
該メッセージロボットを介して、該ユーザーリストにリストアップされたユーザーの内の少なくとも一以上のユーザーからの該インフォメーションリクエストに対するレスポンスを受信し、
該メッセージロボットを介して該ユーザーマッチングシステムから該第１ユーザーのＩＤを受信し、
該メッセージロボットを介して該レスポンスを該第１ユーザーに転送するステップを含む。
【００１９】
請求項９に記載する位置を基礎とした匿名のインスタントメッセージ交換方法は、  請求項８におけるインフォメーションリクエストがトピックである。
【００２０】
請求項１０に記載する位置を基礎とした匿名のインスタントメッセージ交換方法は、請求項９におけるインフォメーションリクエストを該地理的位置と該トピックにマッチングする複数のユーザーに転送する。
【００２１】
請求項１１に記載する位置を基礎とした匿名のインスタントメッセージ交換方法は、  請求項８における地理的位置がＧＰＳを介して決定される。
【００２２】
請求項１２に記載する位置を基礎とした匿名のインスタントメッセージ交換方法は、  請求項８における地理的位置がマップから選択される。
【００２３】
請求項１３に記載する位置を基礎とした匿名のインスタントメッセージ交換方法は、  請求項８における位置を基礎とした匿名のインスタントメッセージ交換方法において、第１ユーザーからの該レスポンスに対するレスポンスを受信して、
該レスポンスを転送する該ユーザーリストにリストアップされた少なくとも一以上のユーザーのＩＤを決定し、
受信した該レスポンスを該ユーザーリストにリストアップされた少なくとも一以上のユーザーに転送するステップをさらに含む。
【００２４】
請求項１４に記載する位置を基礎とした匿名のインスタントメッセージ交換方法は、  第１ユーザーが地理的位置を選択し、
該第１ユーザーによってインフォメーションリクエストを入力し、
該第１ユーザーの入力したインフォメーションリクエストをメッセージロボットに転送し、
該メッセージロボットを介してユーザー地理マッチングシステムからの該地理的位置に関連するユーザーリストを受信して、
該メッセージロボットを介して該インフォメーションリクエストを該ユーザーリストにリストアップされたユーザーに転送するステップを含む。
【００２５】
請求項１５に記載する位置を基礎とした匿名のインスタントメッセージ交換方法は、請求項１４における位置を基礎とした匿名のインスタントメッセージ交換方法において、該ユーザーリストにリストアップされる第２ユーザーによって該インフォメーションリクエストに対するレスポンスを入力し、
該第２ユーザーが該レスポンスを該メッセージロボットに転送し、
該メッセージロボットによって該ユーザー地理マッチングシステムからの該第１ユーザーのＩＤを受信し、
該メッセージロボットを介して該レスポンスを該第１ユーザーに転送するステップをさらに含む。
【００２６】
請求項１６に記載する位置を基礎とした匿名のインスタントメッセージ交換方法は、  請求項１４における位置を基礎とした匿名のインスタントメッセージ交換方法において、該第１ユーザーがトピックを選択するステップをさらに含む。
【００２７】
請求項１７に記載する位置を基礎とした匿名のインスタントメッセージ交換方法は、請求項１６におけるインフォメーションリクエストを該地理的位置と該トピックにマッチングする複数のユーザーに転送する。
【００２８】
請求項１８に記載する位置を基礎とした匿名のインスタントメッセージ交換方法は、  請求項１４におけるユーザーリストが該地理的位置に関連するユーザーＩＤを含む。
【００２９】
請求項１９に記載する位置を基礎とした匿名のインスタントメッセージ交換方法は、  請求項１４における地理的位置がマップを介して選択される。
【００３０】
請求項２０に記載する位置を基礎とした匿名のインスタントメッセージ交換方法は、  請求項１４における位置を基礎とした匿名のインスタントメッセージ交換方法において、該メッセージロボットが該第１ユーザーからの該レスポンスに対するレスポンスを受信し、
該ユーザーリストにリストアップされた該第２ユーザーのＩＤを決定し、
該メッセージロボットを介して該レスポンスを該第２ユーザーに転送する。
【発明の効果】
【００３１】
発明の方法によれば、インスタントメッセージによってファイルを転送する場合、ユーザーが自身のＩＤを公開する必要がなくなるため、安心してインフォメーションリクエストを行ったり、インスタントメッセージを転送したりすることができ、かつ該インフォメーションリクエストに対してレスポンスする場合もユーザーのＩＤを公開する必要がないため、インスタントメッセージの利便性が得られるとともに、インターネットによる通信の安全性を確実に達成できるという利点を有する。
【発明を実施するための最良の形態】
【００３２】
この発明は、匿名で安全にインスタントメッセージの転送、受信を行うことのできる方法とシステムを提供するものであって、その方法は第１ユーザーのインフォメーションリクエストを受信し、かつ該インフォメーションリクエストが地理的位置（geographic location）であって、
該地理的位置に関連する複数のユーザーを決定し、
該インフォメーションリクエストを該地理的位置に関連する複数のユーザーに送信し、
第２ユーザーから該インフォメーションリクエストに対するレスポンスを受信し、
該レスポンスを該第１ユーザーに転送するステップを含む。
【００３３】
詳しく説明すると、この発明によるシステムを利用するユーザーが地理的位置を選択し、かつ必要とするトピックを入力すると、他のユーザーは選択された該地理的位置とトピックに関するインスタントメッセージを受信し、かつＩＤを公開することなく、これにレスポンスすることができ、ユーザーが目下利用しているインスタントメッセージサービスを利用して匿名の通信を行うことができる。
【００３４】
ユーザーがインフォメーションリクエストに関連する地理的位置とトピックを選択し、これを、メッセージロボットに転送すると、ユーザー地理位置とトピックマッチングシステムが自動的にマッチングしてユーザーリストをメッセージロボットに送信する。このマッチングしたユーザーリストには地理的位置、もしくはトピックを選択したユーザーのインスタントメッセージＩＤが含まれる。次いで、メッセージロボットがインフォメーションリクエスト、またはトピックをリストアップされたユーザーに転送する。
【００３５】
マッチングしたユーザーはメッセージロボットが転送した本来のユーザーの送信したインフォメーションリクエストを受信する。これにレスポンスする場合、該ユーザーはレスポンスをメッセージロボットに転送する。ユーザー地理とトピックマッチングシステムが本来インフォメーションリクエストを提出したユーザーのインスタントメッセージＩＤをメッセージロボットに送信し、該メッセージロボットは該レスポンスを本来のインフォメーションリクエストを提出したユーザーに転送する。
【００３６】
ユーザーは直接通信を行わないため、ユーザー個人のデータは機密が保持される。インスタントメッセージでチャットを行うためにマッチングしたユーザーのリストをメッセージロボットが受信すると、発送者のＩＤはメッセージロボット内から削除される。またメッセージロボットがレスポンスを転送するために発送者のＩＤを受信すると、レスポンスするユーザーのＩＤは削除される。よって、機密性が保持され、ユーザーとその他ユーザーは互いに知り合うことなく通信を行うことができる。
【００３７】
この発明の提供するシステムは、ユーザーの装置がディスクトップタイプのパーソナルコンピュータ、モバイルタイプの装置、パーソナルディジタルアシスト（ＰＤＡ）、携帯電話機を含み、その通信はケーブルネットワーク、インターネット、無線ネットワーク、セルラーネットワーク、ｗｉ−ｆｉネットワーク、もしくはこれらの結合を含む。
【００３８】
よって、この発明による方法とシステムは、柔軟的であって、異なる形式のネットワークと電子装置を利用することができる。
係るインスタントメッセージ交換方法、及びそのシステムの特徴を説明するために、具体的な実施例を挙げ、図示を参照にして以下に詳述する。
【実施例】
【００３９】
図１Ａには、この発明の実施例によるインフォメーションリクエスト放送システムを開示する。図面によれば、この発明によるインフォメーションリクエスト放送システム１００は、ユーザー地理とトピックマッチングシステム１０５を含む。ユーザー地理とトピックマッチングシステム１００はユーザー情報を有するデータベースを含む。ユーザー情報には、例えばユーザーのインスタントメッセージＩＤ、ユーザーの好みの地理的位置、ユーザーの好みのトピック（topic）、もしくはユーザーのオンラインの状態などが挙げられる。
【００４０】
複数のユーザーには、ユーザーＡ１３０、ユーザーＢ１３５、ユーザーＣ１４０を含み、それぞれインスタントメッセンジャー１１５、１２０、１２５を利用し、インターネットにオンラインしてインスタントメッセージサーバー１１１にリンクする。メッセージロボット１１０はインスタントメッセージサーバーにリンクする複数のユーザーとユーザー地理とトピックマッチングシステム１００との間に介在して通信を行う。
【００４１】
図１Ｂは、実施例における位置を基礎とした匿名のインスタントメッセージ交換方法のステップを示したフローチャートである。
【００４２】
この発明による匿名のメッセージリクエスト方法１５０は、Ｓ１５５のステップにおいて、先ずユーザーＡが目標位置を選択する。実施例において、ユーザーは適宜なトピックを選択してメッセージリクエストとしてもよい。この実施例においてユーザーは目標位置を選択するだけでメッセージリクエストとすることができる。
【００４３】
Ｓ１６０のステップにおいて、ユーザーＡがメッセージをリクエストし、インスタントメッセンジャーを介してメッセージロボットに転送する。メッセージロボットはＳ１６５のステップに開示するように地理とトピックマッチングシステムに要求し、目標位置トピックがマッチングしたユーザーリストを受信する。
【００４４】
次いで、Ｓ１７０のステップにおいてメッセージロボットはメッセージリクエストをマッチングしたユーザーに放送する。次に、Ｓ１７５のステップに開示するように、これらマッチングしたユーザーがメッセージロボットによって放送されたリクエストを受信する。
【００４５】
以下、特殊な状況におけるこの発明の方法の一例を説明する。あるユーザー、もしくはユーザーＡが特別なニーズを有する地理的位置に対する特殊なトピックに係るインフォメーションを必要とした場合、例えば、ユーザーＡが目下所在する位置に詳しくなく、かつ最寄りの好ましいレストランを探したいという状況にあり、ユーザーＡ目下存在する位置とレストランというトピックを選択する。次いで、ユーザーＡがインスタントメッセンジャーにレストランを探したいとメッセージロボットに入力する。その他ユーザーは予め設定した個人的な好み、例えば地理的位置、好みのトピック、興味の有るトピック、もしくは知りたいトピックなどの設定をユーザー地理とトピックマッチングシステムに保存しておく。この場合、メッセージロボットはトピックについて選択した地理とトピックにマッチングする有効なユーザーリストを提供する。次いでメッセージロボットは該トピックをユーザーリストにリストアップされたユーザーに放送する。
【００４６】
図２Ａに実施例におけるレスポンス放送システムを開示する。図面によれば、レスポンス放送システム２００は図１に開示するユニットと同様であるが、但し、通信の方向が放送に応答するレスポンスであって、メッセージリクエストの放送ではない。
【００４７】
図２Ｂは実施例による匿名のメッセージリクエストに応答するインスタントメッセージの交換方法のステップを開示したフローチャートである。
【００４８】
この方法２００は、先ずＳ２１０のステップで第２ユーザーがメッセージロボットからのインフォメーションリクエストメッセージを受信すると、Ｓ２２０のステップで第２ユーザーが回答を記載するか、レスポンスし、かつインスタントメッセンジャーを利用してメッセージロボットに転送する。Ｓ２３０のステップにおいて、メッセージロボットはユーザー地理とトピックマッチングシステムに要求し、本来のインフォメーションを要求するインスタントメッセージのＩＤを受信する。次いで、Ｓ２４０のステップにおいてメッセージロボットは本来のインフォメーションリクエストに対するレスポンスを、本来インフォメーションをリクエストした者に転送する。
【００４９】
上述する状況において、ユーザー、即ちユーザーＢがレストランを探すというトピックを受信すると、ユーザーＢは該地域を極めて熟知しているため、本来のユーザーの地理的位置における好みのレストランについて回答を記載し、メッセージロボットに転送する。メッセージロボットはユーザー地理とトピックマッチングシステムから本来質問したユーザーのインスタントメッセージＩＤを取得して、レスポンスを本来のユーザーに転送する。
【００５０】
これらユーザーの間では、相手のインスタントメッセージＩＤを知ることがないので、安全な感じがし、安心して問題を提出し、依然として匿名の状態を保持してインフォメーションを提供することができる。係る方式によれば、ユーザーは問題を提出しても相手から認識されることはない。但し、特殊な位置、もしくはトピックを極めて熟知するユーザーからインフォメーションを収集することができ、ユーザーのインターネットを利用する上での効果と利益を大幅にためることができ、インスタントメッセージシステムのリクエストとレスポンスによって、短時間で効率よくインフォメーションを収集することができる。さらに、複数の使用者が本題を提起した者に対してレスポンスすることによって、予期する以外のインフォメーションを得ることが可能になる。
【００５１】
図３Ａに、実施例におけるマップを具えたインスタントメッセージインタフェースを開示する。図面によれば、この発明によるインスタントメッセージインタフェース３００は、ツールバーと、テキスト入力ボックス３１０と、ダイアログボックス３１５と、マップディスプレー３２０を含む。ツールバー３０５は、各種コマンドの起動、もしくは各種機能の実行を行うためのツールアイコンを含む。テキスト入力ボックス３１０はユーザーがメッセージリクエスト、もしくはレスポンスを入力するために提供される。ユーザーがテキスト入力ボックス３１０にテキストを入力すると、このメッセージは送信アイコンを選択することによって転送される。メッセージリクエストとレスポンスはダイアログボックス３１５に表示され、かつメッセージの転送、受信と同様に、連続的に更新される。
【００５２】
マップはマップディスプレー３２０に表示される。マップの解析度はナビゲーションコントローラ３２５によって調整する。例えば、ナビゲーションコントローラはマップの縮小、拡大、右方向への移動、左方向への移動、上方向への移動、下方向への移動などを行うことができ、ユーザーが容易に目標位置を定めることができるように供する。
【００５３】
実施例において、ユーザーがインフォメーションをリクエストするトピックを容易に探せるよう、該トピックリストをダイアログボックスに表示するようにしてもよい。
【００５４】
図３Ｂは、実施例における匿名でのインフォメーションリクエスト放送と、匿名でのインフォメーションリクエストに対するレスポンスと、継続して匿名を維持して行うインスタントメッセージの対話に係る方法を示したフローチャートである。
【００５５】
図３Ｂの実施例では、ユーザーは最初にインフォメーションをリクエストし、レスポンスした後、継続してインスタントメッセージで対話することができる。
【００５６】
この発明による方法３４０によれば、先ずＳ３４５のステップでユーザーが目標位置を選択する。実施例において、ユーザーは適宜なトピックを選択して最も必要とするインフォメーションリクエストとすることができる。
【００５７】
次いで、Ｓ３５０のステップにおいて、第１ユーザーがインフォメーションリクエストを入力し、インスタントメッセンジャーを利用して該インフォメーションリクエストをメッセージロボットに転送すると、Ｓ３５５のステップにおいてメッセージロボットはユーザー地理とトピックマッチングシステム（UGTMS）に要求し、マッチングに符合した目標位置、またはトピックのユーザーリストを受信する。
【００５８】
次に、Ｓ３６０のステップにおいてユーザー地理とトピックマッチングシステムが通信リストを保持する。このリストは第１ユーザーのインスタントメッセージＩＤとマッチングしたユーザーのインスタントメッセージＩＤを含み、インフォメーションリクエストも特殊なＩＤを与えられて、目下の通信、またはインスタントメッセージ段落にリンクされる。
【００５９】
Ｓ３６５のステップにおいてメッセージロボットはインフォメーションリクエストをマッチングに符合したユーザーに放送し、これらユーザーはメッセージロボットからのリクエストの放送を受信する。
【００６０】
Ｓ３７０のステップにおいて、第２ユーザーが回答、またはレスポンスを記載しインスタントメッセンジャーを利用してメッセージロボットに転送すると、メッセージロボットはユーザー地理とトピックマッチングシステムに要求し、第１ユーザーのインスタントメッセージＩＤを受信し、本来のインフォメーションリクエストに対するレスポンスを、本来のインフォメーションリクエストを受信したその他マッチングユーザーに転送する。
【００６１】
仮に、第１ユーザーがさらに多くのインフォメーションを得たいと思うか、もしくはレスポンスに対してさらに詳しい説明を得たいと思う場合、第１ユーザーはインスタントメッセージをメッセージロボットに転送することができる。メッセージロボットはこの段落において再度マッチングしたユーザーのリストを受信し、かつインスタントメッセージをユーザーリストにリストアップされたユーザーに放送する。その他マッチングしたユーザーは、この対話に対して意見を発表するか、レスポンスすることができる。例えば、異なる回答を提供したり、その他インフォメーションに同意しいことを表明したり、もしくは付加的にその他インフォメーションを提供したりすることができ、このインスタントメッセージは対話が終了するまで続く。
【００６２】
仮に、あるユーザーがこの段落に参加しようとすれば、他のユーザーは容易にこの対話、もしくは段落から離れることができる。あるユーザーがこの段落から離れれば、ユーザー地理とトピックマッチングシステムはこの段落における対話の通信リストから該ユーザーのＩＤを除去する。
【００６３】
この実施例において、段落は最初にインフォメーションリクエストを提出したユーザーによって終了させてもよい。他の実施の形態として、この段落は最後のユーザーがこの段落から離れることによって終了するようにしてもよい。また、その他実施の形態として、段落対話のない状態が所定の時間だけ経過した後終了するようにしてもよい。例えば、段落は所定の時間内において何らメッセージの転送がなく、自動的に終了するようにしてもよい。
【００６４】
実施例においては、メッセージロボットは本来のユーザーからインフォメーションリクエストを受信し、かつユーザー地理とトピックマッチングシステムから第１ユーザーのＩＤを受信する。次いで、メッセージロボットはインフォメーションリクエストを第１ユーザーに転送し、かつユーザー地理とトピックマッチングシステムからユーザーリストにリストアップされた第２ユーザーのＩＤを受信する。係る動作はユーザーリストにリストアップされた全てのユーザーにインフォメーションリクエストを転送し終わるまで絶え間なく持続する。
【００６５】
次いで、メッセージロボットはマッチングしたユーザーリストにリストアップされた第１ユーザーのＩＤを受信し第１ユーザーに返信する。次に、メッセージロボットはたユーザーリストにリストアップされた第２ユーザーのＩＤを受信し第２ユーザーに返信する。係る動作はユーザーリストにリストアップされた全てのユーザーにインフォメーションリクエストを転送し終わるまで絶え間なく持続する。この段落において、全てのユーザーは本来のユーザーと同等と見なす。
【００６６】
図４は、この実施例におけるインスタントメッセージインタフェースの説明図である。
図面によれば、インスタントメッセージインタフェース３００は、インターネットフォーラムウィンドウ３２６を含む。インターネットフォーラムウィンドウ３２６は関連するトピックのフォーラムリストにリンクする複数のトピック表題３２７を含む。仮にあるトピックがスポーツであれば、スポーツに関連するフォーラムリストに接続する。ユーザーがトピック表題を選択すると、インターネットフォーラムウィンドウには関連するスレッドリストが表示される。よってユーザーは関連するスレッドリストを選択することでもってナビゲートとすることができる。
【００６７】
この実施例において、インスタントメッセージ段落が終了する場合、段落全体の対話を新しいスレッドとしてフォーラム段落にリンクさせる。このスレッドは最初のインフォメーションメッセージが転送された時にユーザーが使用した正確なスレッド表題の下に位置する。
【００６８】
この発明の実施例において、段落の対話はユーザーを分割することによって自動的に区分けして公開される公告である。よって、スレッドは本来の公告と参加する全てのユーザーの個別の公告を含むレスポンスの序列である。
【００６９】
この発明はインスタントメッセージシステムとインターネットフォーラム段落とを整合するものであって、このフォーラム段落は新しい対話関連スレッドによって絶え間なく更新される。この発明はインスタントメッセージによるチャットデータの収集サービスと、それ以前の通信とインフォメーションを価値あるものにするサービスとを提供する。よって、ユーザーは本来参加しなかった関連スレッドの段落のフォーラム公告から余分にインフォメーションと、その説明を得ることができる。
【００７０】
図５Ａと図５Ｂは、この発明によるタブを有するインスタントメッセージインタフェースの説明図である。図５Ａと図５Ｂに開示する実施の形態において、インスタントメッセージインタフェースは５００は複数のタブ３５０を含み、タブが選択されると、関連する機能のウィンドウが表示される。例えば、マップのタブが選択されると、マップウィンドウ５２５が表示され、かつマップが表示される。フォーラムタブを選択すると、フォーラムウィンドウが表示され、かつトピック表題が表示される。ホームページのタブが選択されると、ブラウザのウィンドウが表示され、インターネットにリンクするためのガイドが表示される。電子メールのタブを選択すると、電子メールクライアントのウィンドウが表示される。
【００７１】
この発明によるタブを有するインスタントメッセージインタフェースは、効率的で、有効な方法で、インスタントメッセージのウィンドウを保留する条件の下に用途を増加させる機能を提供するものである。機能を必要としない時は、ウィンドウは消えてインスタントメッセージインタフェースとタブのみを残す。
【００７２】
この実施例において、タブが選択されると、ウィンドウがスライドしてインスタントメッセージウィンドウが表示され、その他機能、もしくはタブは再度選択されて表示が戻る。
【００７３】
この実施例において、ユーザーがインフォメーションリクエストにレスポンスした場合、該レスポンスにユニフォーム・リソース・ロケーター（URL）が含まれていれば、ホームページタブは該サイトにリンクして表示する。よって、ユーザーはレスポンスの参考ホームページを短時間で閲覧することができる。
【００７４】
実施例において、インフォメーションリクエストしたユーザーの位置がＧＰＳ（global positioning satellite）によって自動的に決定される場合、ユーザーによる目標位置の入力を省略することができる。即ち、ユーザーの位置はＧＰＳによって自動的に決定することができ、実施例においてはインフォメーションリクエストしたユーザーの位置を決定することができる。
【００７５】
また、実施例においてトピックスリストはダイアログボックス表示してもよい。この場合、ユーザーはリストからトピックの選択、トピックのテキスト入力、もしくはトピックに関連する数字の入力を容易に行うことができる。
【００７６】
また、実施例において、マップに表示される位置はユーザーの選択に直接提供されるため、再度テキストを入力する必要がない。
【００７７】
さらに、この実施例において、放送されるエリア、その広さは、インフォメーションリクエストするユーザーによって選択することができる。
【００７８】
以上は、この発明の好ましい実施の形態であって、この発明の実施の範囲を限定するものではない。よって、当業者のなし得る修正、もしくは変更であって、この発明の精神の下においてなされ、この発明に対して均等の効果を有するものは、いずれもこの発明の特許請求の範囲に含まれるものとする。
【図面の簡単な説明】
【００７９】
【図１Ａ】実施例におけるインフォメーションリクエスト放送システムの説明図である。
【図１Ｂ】実施例における位置を基礎とした匿名のインスタントメッセージ交換システムのステップを示したフローチャートである。
【図２Ａ】実施例におけるレスポンス放送システムを示した説明図である。
【図２Ｂ】実施例における匿名でインフォメーションリクエストに対してレスポンスするインスタントメッセージ交換システムのステップを示したフローチャートである。
【図３Ａ】実施例におけるマップを有するインスタントメッセージインタフェースの説明図である。
【図３Ｂ】実施例における匿名でインフォメーションリクエストし、匿名でレスポンスし、継続して匿名で対話する方法のステップを示したフローチャートである。
【図４】実施例におけるインスタントメッセージインタフェースの説明図である。
【図５Ａ】実施例におけるタブを有するインスタントメッセージインタフェースの説明図である。
【図５Ｂ】実施例におけるタブを有するインスタントメッセージインタフェースの他の説明図である。
【符号の説明】
【００８０】
１００    インフォメーションリクエスト放送システム
１０５    ユーザー地理とトピックマッチングシステム
１１０    メッセージロボット
１１１    インスタントメッセージサーバー
１１５、１２０、１２５    インスタントメッセンジャー
１３０    ユーザーＡ
１３５    ユーザーＢ
１４０    ユーザーＣ
１５０    匿名によるインフォメーションリクエスト方法
２００    レスポンス放送システム
３００    インスタントメッセージインタフェース
３０５    ツールバー
３１０    テキスト入力ボックス
３１２    アイコン
３１５    ダイアログボックス
３２０    マップディスプレー
３２５    ナビゲーションコントロー
３２６    インターネットフォーラムウィンドウ
３２７    トピック表題
３４０    方法
３５０    タブ
５２０    マップウィンドウ
【図１Ａ】
2009048602.tif 000003
【図１Ｂ】
2009048602.tif 000004
【図２Ａ】
2009048602.tif 000005
【図２Ｂ】
2009048602.tif 000006
【図３Ａ】
2009048602.tif 000007
【図３Ｂ】
2009048602.tif 000008
【図４】
2009048602.tif 000009
【図５Ａ】
2009048602.tif 000010
【図５Ｂ】
2009048602.tif 000011